(57)【要約】  筺体の局所的な厚さの増加を最小限に抑える。  携帯端末装置１は、主面と、背面と、主面と背面との間を周回する側面と、を有する外装部と、外装部の内側に外部部品を受け入れる複数の部品受け入れ部２０と、を有している。側面は互いに対向する第１及び第２の側面Ｓ１，Ｓ２と、互いに対向し第１及び第２の側面Ｓ１，Ｓ２にそれぞれ接する第３及び第４の側面Ｓ３，Ｓ４と、からなっている。複数の部品受け入れ部２０は、第１の側面Ｓ１の全長Ｌ１を２分する第１の中点Ｃ１と、第２の側面Ｓ２の全長Ｌ２を２分する第２の中点Ｃ２と、を結ぶ中央区分線ＣＬに関し、一方の側（上側領域５）だけに位置している。
2013018438.tif 000002
【特許請求の範囲】
【請求項１】
主面と、背面と、前記主面と前記背面との間を周回する側面と、を有する外装部と、
前記外装部の内側に外部部品を受け入れる複数の部品受け入れ部と、
を有し、
前記側面は互いに対向する第１及び第２の側面と、互いに対向し前記第１及び第２の側面にそれぞれ接する第３及び第４の側面と、からなり、
前記複数の部品受け入れ部は、前記第１の側面の全長を２分する第１の中点と、前記第２の側面の全長を２分する第２の中点と、を結ぶ中央区分線に関し、一方の側だけに位置している、携帯端末装置。
【請求項２】
前記第１及び第２の側面は前記第３及び第４の側面より全長が長く、前記一方の側は、前記中央区分線に関し手で支える側の反対側である、請求項１に記載の携帯端末装置。
【請求項３】
前記第３の側面は前記一方の側に位置しており、
電源スイッチ及び音量調整ボタンが前記第３の側面に位置している、請求項１に記載の携帯端末装置。
【請求項４】
中央処理ユニットを含む基板が前記一方の側に位置している、請求項１に記載の携帯端末装置。
【請求項５】
請求項１に記載の携帯端末装置と、
前記携帯端末装置を保持しながら充電することができる自立型の充電装置と、
を有し、
前記携帯端末装置は第１の側面に充電用端子を有し、
前記充電装置は、前記携帯端末装置が載置されたときに前記充電用端子と電気的に接続可能な接続部を有し、
前記複数の部品受け入れ部は、外部インターフェースポートと記録媒体用スロットの少なくともいずれかを含み、
前記外部インターフェースポートと前記記録媒体用スロットの少なくともいずれかは前記第２の側面に位置している、携帯端末システム。
【発明の詳細な説明】
【技術分野】
【０００１】
本出願は、２０１１年７月２９日出願の日本出願である特願２０１１−１６７２８８に基づき、かつ同出願に基づく優先権を主張する。この出願は、その全体が参照によって本出願に取り込まれる。【０００２】
本発明は携帯端末装置及び携帯端末システムに関し、特にスロット、ポート等の配置に関する。
【背景技術】
【０００３】
携帯電話、スマートフォンなどの携帯端末装置は、外部機器との接続インターフェース、充電等の目的で、コネクタ、カードなどの外部部品を受け入れるための部品受け入れ部が設けられている。これらの部品受け入れ部は通常、筺体の側面、背面または筺体内部の電池収容部に設けられている（特許文献１）。
【先行技術文献】
【特許文献】
【０００４】
【特許文献１】特開２００９−１１１５７３号公報
【発明の概要】
【発明が解決しようとする課題】
【０００５】
近年、従来の携帯電話、スマートフォンよりも大型のいわゆるタブレット型の携帯端末装置が開発されている。この種の携帯端末装置では携帯性、具体的には持ち運びの容易さ及び手で保持した状態での操作性を損なわないため、装置をできるだけ薄くし、軽量化することが望ましい。上記の部品受け入れ部は、一般的に平面寸法は小さいが、外部部品を受け入れるための物理的スペースが必要であり、特に厚さ（高さ）方向に相対的に大きな寸法となることが多い。従って、薄型化のためには、これらの部品受け入れ部を効率的に配置し、筺体の厚い部分の割合をできるだけ小さくすることが重要である。【０００６】
本発明は、筺体の局所的な厚さの増加を最小限に抑えることが可能な携帯端末装置を提供することを目的とする。
【課題を解決するための手段】
【０００７】
本発明の携帯端末装置は、主面と、背面と、主面と背面との間を周回する側面と、を有する外装部と、外装部の内側に外部部品を受け入れる複数の部品受け入れ部と、を有している。側面は互いに対向する第１及び第２の側面と、互いに対向し第１及び第２の側面にそれぞれ接する第３及び第４の側面と、からなっている。複数の部品受け入れ部は、第１の側面の全長を２分する第１の中点と、第２の側面の全長を２分する第２の中点と、を結ぶ中央区分線に関し、一方の側だけに位置している。
【発明の効果】
【０００８】
本発明の携帯端末装置は部品受け入れ部を複数個有しており、これらの複数の部品受け入れ部は、中央区分線に関し一方の側だけに位置している。すなわち、外装部の厚さの局所的な増加につながりやすい部品受け入れ部が集中配置されているため、厚さの大きい部位が限定される。【０００９】
本発明によれば、筺体の局所的な厚さの増加を最小限に抑えることが可能な携帯端末装置を提供することができる。【００１０】
上述した、およびその他の、本出願の目的、特徴、および利点は、本出願を例示した添付の図面を参照する以下に述べる詳細な説明によって明らかとなろう。
【図面の簡単な説明】
【００１１】
【図１】本発明の一実施形態に係る携帯端末装置の全体外形図である
【図２Ａ】図１に示す携帯端末装置の側面図である
【図２Ｂ】図１に示す携帯端末装置の側面図である
【図２Ｃ】図１に示す携帯端末装置の側面図である
【図３】図１に示す携帯端末装置の内部構造を示す平面図である
【図４Ａ】充電装置及び携帯端末システムの概念図である。
【図４Ｂ】充電装置及び携帯端末システムの概念図である。
【符号の説明】
【００１２】
１  携帯端末装置
４  外装部
５  上側領域
６  下側領域
２０  部品受け入れ部
２１  外部インターフェースポート
２１ａ  ＵＳＢポート
２１ｂ  ＨＤＭＩ端子
２２  記録媒体用スロット
２２ａ  ＳＩＭカードスロット
２２ｂ  データ用ＳＤカードスロット
２３  充電用ジャック
２４  イヤホンジャック
２５ａ  電源スイッチ
２５ｃ  音量調整ボタン
Ｃ１  第１の中点
Ｃ２  第２の中点
ＣＬ  中央区分線
Ｆ  前面
Ｒ  背面
Ｓ  側面
Ｓ１〜Ｓ４  第１〜第４の側面
【発明を実施するための形態】
【００１３】
本発明は、一般にタブレット型と称され、通常スマートフォンと称される小型通信機器と比較して大型の携帯端末装置に好適に適用される。タブレット型の携帯端末装置１の大きさは特に制限されないが、表示パネルの大きさが概ね１７．８ｃｍ（約７インチ）から２３．４ｃｍ（約１０インチ）の範囲のものが一例として挙げられる。本発明は、一般的には、携帯電話装置、スマートフォン、ゲーム装置、電子書籍端末、ＰＤＡなど、表示パネルと、電池と、基板と、を有し、これらが一つの筺体に一体配置された全ての携帯端末装置に適用することができる。
【００１４】
以下、図面を参照して本発明の携帯端末装置１の実施形態について説明する。
【００１５】
図１は、本発明の一実施形態に係る携帯端末装置１の全体外形図であり、前面側から見た携帯端末装置１の斜視図を示している。携帯端末装置１の外装部４は、携帯端末装置１の筺体として機能し外装部４の背面Ｒ及び側面Ｓを構成するリアカバー２と、リアカバー２に保持され、外装部４の前面Ｆを構成するフロントパネル３と、からなっている。側面Ｓは前面Ｆと背面Ｒとの間を周回しており、前面Ｆ及び背面Ｒとともに携帯端末装置１の外装部４を構成している。リアカバー２は炭素繊維強化炭素複合材、または炭素繊維積層材としても知られるカーボンコンポジットで形成されている。カーボンコンポジットは、カーボンを５０体積％以上含み、シリカ、アルミナなどの無機系の粘結剤、ファイバなどを含む複合材料である。フロントパネル３は液晶パネル、有機ＥＬパネル等で形成された略長方形の表示パネル１６の保護の目的で設けられ、少なくとも表示パネル１６に対応する部分が映像を透過するためアクリル等の透明樹脂またはガラスで形成されている。フロントパネル３の外側表面に、タッチパネルを構成するためのフィルム１７を備えることもできる。
【００１６】
図２Ａ〜２Ｃは携帯端末装置１の各側面を示す側面図、図３は、携帯端末装置１の内部構造を示す概略平面図である。図２Ａ〜２Ｃはそれぞれ、図１，３のＡ１−Ａ１線、Ａ２−Ａ２線、Ａ３−Ａ３線から見た側面図である。
【００１７】
携帯端末装置１は全体として略長方形の平面形状を有し、フロントパネル３のある前面Ｆはフラットに、背面Ｒは曲面状に形成されている。具体的には、背面Ｒは、携帯端末装置１の長辺方向における中央部が凹部１１（最薄部位）となっており、その上下側が凸部（最厚部位）１２，１３となっている。また、凸部（最厚部位）１２，１３の外側、すなわち携帯端末装置１の短辺に沿った部分１４，１５は、凸部１２，１３に対し厚さ方向で薄くなるように引き込んでいる。このような背面形状とすることで、意匠性が高められるとともに、携帯端末装置１を横向きで使用する際に両手で凸部１２，１３を保持することができ、使い勝手が向上する。
【００１８】
携帯端末装置１の側面Ｓは互いに対向する第１及び第２の側面Ｓ１，Ｓ２と、互いに対向し第１及び第２の側面Ｓ１，Ｓ２より全長が短い第３及び第４の側面Ｓ３，Ｓ４と、からなっている。第１〜第４の側面Ｓ１〜Ｓ４は各々、携帯端末装置１の長手方向で後述するコネクタ類が配設された側を上側としたときに、左側、右側、上側及び下側となる側面である。タブレット型などの大きな携帯端末装置の場合、通常、ユーザは携帯端末装置１の操作時に下側の部分を主として保持し、上側には手がかからない。図３はこのときの各側面Ｓ１〜Ｓ４の位置を示している。
【００１９】
第１〜第４の側面Ｓ１〜Ｓ４は平面、曲面またはそれらの組合せによって形成することができる。本実施形態では、第１の側面Ｓ１と第２の側面Ｓ２は平面状であり、互いに平行で、同じ長さである。第３の側面Ｓ３と第４の側面Ｓ４は携帯端末装置１の長手方向で中央部が凸となり、第1の側面Ｓ１側と第２の側面Ｓ２側にかけて短くなる曲面状である。第３の側面Ｓ３は、第４の側面に比較して長手方向に大きく膨らんでいるが、第４の側面Ｓ４は第３の側面Ｓ４と比較してふくらみが小さい。このため、縦置きで手持ちする際に、第４の側面Ｓ４を手で保持しやすく、持ちやすさが向上し、保持した状態での安定性を向上することができる。
【００２０】
本実施形態では、各側面Ｓ１〜Ｓ４の境界は明確に図示されているように鋭角部となっているが、曲面であってもよい。その場合、方向の変化率が最大となる点を互いに隣接する側面の境界とすることができる。例えば、図３の平面図において、側面の各位置における角度θ（曲線部にあってはその接線の角度θ）を、時計の１２時の位置を０度として時計回りを正として定義し、時計回りに回る位置座標ｓを、側面の所定の位置を原点として定義する。ｄθ／ｄｓを各位置座標ｓで計算すると、４隅の付近でｄθ／ｄｓの極大値が得られる。この極大値の得られた位置座標ｓを側面の境界とすることができる。
【００２１】
第１の側面Ｓ１の全長Ｌ１を概ね２分する第１の中点Ｃ１と、第２の側面Ｓ２の全長Ｌ２を概ね２分する第２の中点Ｃ２と、を結ぶ中央区分線ＣＬを考える。第１及び第２の側面Ｓ１，Ｓ２が曲面の場合、全長Ｌ１，Ｌ２は曲面に沿った長さとする。以下の説明では、中央区分線ＣＬに関して第３の側面Ｓ３の側に位置する領域を上側領域５、第４の側面Ｓ４の側に位置する領域を下側領域６と呼ぶ。下側領域６は中央区分線ＣＬに関し手で支える側であり、上側領域５はその反対側である。
【００２２】
携帯端末装置１の上側領域５には中央処理ユニット（図示せず）を含む基板７が設けられている。携帯端末装置１の下側領域６には電池８が設けられている。本実施形態では、電池８は上側領域５まで延びているが、電池容量を調整することによって、下側領域６だけに設けることもできる。携帯端末装置１の薄型化のためには、基板７と電池８が平面的に分離されていることが好ましい。また、使用時に主に発熱するのは基板７であることから、基板７を上側領域５に配置することで、携帯端末装置１を縦にして手持ちで用いる際に発熱部と手が直接接触することが防止される。
【００２３】
上側領域５には、ＵＳＢポート２１ａ、ＨＤＭＩ(High-Definition  Multimedia  Interface)ポート２１ｂなどの外部インターフェースポート２１、ＳＩＭ（Subscriber  Identity  Module）カードスロット２２ａ、データ用ＳＤカードスロット２２ｂ等の記録媒体用スロット２２、充電用ジャック２３及びイヤホンジャック２４が設けられている。ＳＩＭカードは携帯端末装置１の利用者識別情報等を記録した装置固有のＳＤカードである。データ用ＳＤカードは画像ファイル、文書ファイル、音声ファイルなどの記録用、再生用、あるいは記録再生用に、ＳＩＭカードとは別に設けられるＳＤカードである。記録媒体用スロット２２はＳＤカードスロットに限定されず、あらゆるカード式記録媒体用のスロット、あらゆる光ディスク用のスロット、及びあらゆる磁気ディスク用のスロットを含むことができる。外部インターフェースポート２１は筒状、直方体状などの任意の形状の端子を受け入れる開口を、充電用ジャック２３及びイヤホンジャック２４は一般的に筒状の端子を受け入れる開口を、それぞれ備えている。
【００２４】
上述した外部インターフェースポート２１、記録媒体用スロット２２、充電用ジャック２３及びイヤホンジャック２４を総称して部品受け入れ部２０と呼ぶ。これらのポート、スロット及びジャックは部品受け入れ部２０の例示に過ぎず、部品受け入れ部２０は、携帯端末装置１から分離可能または脱着可能な部品を一時的または永久的に受け入れるようにされたあらゆる部品を含む。本実施形態では設けられていない部品受け入れ部として、外部マイク接続用のマイクジャック、モニター出力用ポート（１５ピンＤ−Ｓuｂディスプレイ出力）、ＬＡＮポート等が挙げられる。部品受け入れ部２０の開口は側面Ｓに沿って設けられていてもよく、前面Ｆまたは背面Ｒに設けられていてもよい。ＳＩＭカードのように通常ほとんど脱着を行わない記録媒体については、筺体の一部をねじ止め式のカバーとして、その都度カバーを取り外して筺体内部に装着するようにしてもよい。
【００２５】
部品受け入れ部２０は端子、カード等の外部部品を受け入れるためのスペース（通常は、円筒状または直方体状の空洞であるが、これに限定されない）を備えている必要があり、さらに受け入れスペースを形成するケーシングも必要となるため、一般に薄肉化に限界がある。従って、部品受け入れ部２０の設けられている位置では、外装部４は部品受け入れ部２０が設けられていない位置に対して厚くなる傾向にある。本実施形態では、部品受け入れ部２０を上側領域５に集中配置している。具体的には、ＳＩＭカードスロット２２ａと充電用ジャック２３が第１の側面Ｓ１の上側領域５に、ＵＳＢポート２１ａ、ＨＤＭＩポート２１ｂ及びＳＤカードスロット２２ｂが第２の側面Ｓ２の上側領域５に、イヤホンジャック２４が第３の側面Ｓ３に、それぞれ設けられている。
【００２６】
これらの部品受け入れ部２０を分散して配置する場合、各受け入れ部２０での外装部４の厚さを確保するために、部品受け入れ部２０の位置だけでなく、部品受け入れ部２０の周辺の厚さを大きくする必要がある。このため、携帯端末装置１の薄い部分の面積が減少する。例えば、中央部の凹部１１の範囲が減少し、装置全体の薄型化が困難となる。これに対し、本実施形態では、受け入れ部２０が上部領域５に集中配置されており、好ましくは全ての部品受け入れ部２０は、凸部１２の付近に集中配置されている。このようにして、携帯端末装置１の厚い部分を集中させて面積を最小限に抑え、肉薄部（最小厚さ部）の範囲を拡大することができ、形態端末装置１の薄型化を図ることができる。
【００２７】
なお、部品受け入れ部２０は下部領域６に集中配置されていてもよい。つまり、部品受け入れ部２０は中央区分線ＣＬに関し、一方の側だけに位置していればよい。
【００２８】
第３の側面Ｓ３には、さらに電源スイッチ２５ａと音量調整ボタン２５ｃとが設けられている。電源スイッチ２５ａはスライドバー２５ｂを含んでおり、スライドバー２５ｂを第３の側面Ｓ３に沿ってスライドさせることによって、携帯端末装置１の電源のオンオフが可能となる。音量調整ボタン２５ｃは音量増加用ボタン（図中の「＋」の表示のあるボタン）と音量減少用ボタン（図中の「−」の表示のあるボタン）とを備え、いずれかのボタンを押下することによって、音量の調整が可能である。
【００２９】
これらの部品は上述の部品受け入れ部２０と異なり、外部部品を受け入れるスペースを備えていない。しかし、これらの部品は操作性の観点から一定幅の操作部が必要であり、薄肉化の制約となる場合がある。従って、これらの部品も上側領域５に集中配置されている。この結果、主要な操作部が上側領域５に集中するため、例えば、片手で携帯端末装置１を持ちながら、空いている手で携帯端末装置１の操作、あるいは外部部品の接続を行うことが容易となり、操作性の向上が図られる。特に、音声に関連する音量調整ボタン２５ｃとイヤホンジャック２４が隣接して配置されているため、操作時に迷うことがない。
【００３０】
携帯端末装置１の上側領域５にはカメラモジュール２６が、下側領域６にはスピーカ２７及び振動素子（圧電素子）２８が配置されている。これらの部品は薄肉化が容易であり、装置全体の薄型化の大きな制約とならない。携帯端末装置１の下側領域６にはアンテナ２９ａが設けられ、ケーブル２９ｂを介して基板７と接続されている。本実施形態の携帯端末装置１は比較的大きな平面寸法を有しているため。アンテナ長を稼ぐためにアンテナを立体的に配置する必要性が小さい。このため、アンテナ２９ａも装置全体の薄型化の大きな制約とならない。
【００３１】
なお、これらスピーカ２７、振動素子２８、アンテナ２９ａ等も上側領域５に配置するようにしてもよく、この場合では、下側領域６について更に薄型化、小型化をはかることができる。
【００３２】
次に、図４Ａ，４Ｂを参照して、以上説明した携帯端末装置１とその充電装置とを備えた携帯端末システム３１について説明する。図４Ａは充電装置３２の概略斜視図、図４Ｂは、図４Ａの４Ａ−４Ａ線から見た、充電装置３２に携帯端末装置１が装着された状態を示す携帯端末システム３１の概略断面図である。充電装置３２は前面ガイド３３と、背面板３４と、底板３５と、を有しており、これらによって開口部３６が形成されている。携帯端末装置１は、第１の側面Ｓ１が底板３５に当接するように、すなわち横向きの状態で開口部３６に挿入され、充電装置３２に保持される。背面板３４の裏面には回動可能な脚部３７が設けられており、充電装置３２は自立した状態で携帯端末装置１を保持し充電することができる。
【００３３】
携帯端末装置１は第１の側面Ｓ１に充電用端子２３’を有している。充電用端子２３’は図２Ａ〜２Ｃ，３に示す充電用ジャック２３とほぼ同じ位置にあるが、充電用ジャック２３と異なり、第１の側面Ｓ１に露出して設けられた金属板（パッド）である。充電装置３２の底板３５には同様の構成の接続部（パッド）３８が設けられている。接続部３８は充電装置３２に内蔵されたＡＣアダプター３９と接続されている。接続部３８は、携帯端末装置１が充電装置３２に載置されたときに充電用端子２３’と電気的に接続可能である。すなわち、携帯端末装置１の充電用端子２３’が充電装置３２の接続部３８と当接するように携帯端末装置１を充電装置３２に装着することによって、携帯端末装置１の充電が可能となる。
【００３４】
前述の通り、外部インターフェースポート２１（ＵＳＢポート２１ａ及びＨＤＭＩポート２１ｂ）とデータ用ＳＤカードスロット２２ｂは第２の側面Ｓ２に設けられている。従って、第１の側面Ｓ１が下向きになるように携帯端末装置１を充電装置３２に載置したときに、外部インターフェースポート２１とデータ用ＳＤカードスロット２２ｂは上側を向くことなる。従って、充電中に、外部インターフェースポート２１に対するケーブルの接続、データ用ＳＤカードスロット２２ｂに対するＳＤカードの脱着等が可能となる。外部インターフェースポート２１とデータ用ＳＤカードスロット２２ｂはその一部だけを第２の側面Ｓに設け、残りを第２の側面Ｓ２以外の側面（例えば第３の側面Ｓ３）に設けることもできる。
【００３５】
本発明のいくつかの好ましい実施形態を詳細に示し、説明したが、添付された請求項の趣旨または範囲から逸脱せずに様々な変更および修正が可能であることを理解されたい。
【図１】
2013018438.tif 000003
【図２Ａ】
2013018438.tif 000004
【図２Ｂ】
2013018438.tif 000005
【図２Ｃ】
2013018438.tif 000006
【図３】
2013018438.tif 000007
【図４Ａ】
2013018438.tif 000008
【図４Ｂ】
2013018438.tif 000009
【国際調査報告】
2013018438.tif 000010
2013018438.tif 000011
2013018438.tif 000012
2013018438.tif 000013